(57)【要約】  概して、実施形態は、モバイル電子デバイス用統合サウンドバーヒンジアセンブリを対象とする。ウェアラブル電子デバイスは、ヒンジアセンブリ本体と、モバイルデバイスの第１の部分を、モバイルデバイスの第２の部分にヒンジで連結する、ヒンジアセンブリ本体と連結される少なくとも１つのヒンジセットと、第１のスピーカを設置するための、ヒンジアセンブリ本体に含まれる少なくとも１つのスピーカブラケットと、を備えてよい。
2018537007.tif 000002
【特許請求の範囲】
【請求項１】
ヒンジアセンブリ本体と、
モバイルデバイスの第１の部分を、前記モバイルデバイスの第２の部分にヒンジで連結する、前記ヒンジアセンブリ本体と連結される少なくとも１つのヒンジセットと、
第１のスピーカを設置するための、前記ヒンジアセンブリ本体に含まれる少なくとも１つのスピーカブラケットと、を備える、統合サウンドバーヒンジアセンブリ。
【請求項２】
オーディオ信号を設置されるスピーカに供給するための、前記少なくとも１つのスピーカブラケットに電気的に接続されるケーブルを、さらに備える、請求項１に記載の統合サウンドバーヒンジアセンブリ。
【請求項３】
前記少なくとも１つのヒンジセットの軸は中空であり、前記ケーブルは、前記中空の軸を通る、請求項２に記載の統合サウンドバーヒンジアセンブリ。
【請求項４】
前記ヒンジアセンブリ本体は正面を含み、前記少なくとも１つのスピーカブラケットは、設置されるスピーカが、前記ヒンジアセンブリ本体の前記正面の方向に方向付けられるように配置される、請求項１から３のいずれか一項に記載の統合サウンドバーヒンジアセンブリ。
【請求項５】
前記少なくとも１つのヒンジセットの各ヒンジの軸は、前記ヒンジアセンブリ本体によって、少なくとも部分的に囲まれる、請求項１から４のいずれか一項に記載の統合サウンドバーヒンジアセンブリ。
【請求項６】
第１の部分と、
第２の部分と、
前記第１の部分および前記第２の部分をヒンジで連結するヒンジアセンブリと、を備え、
前記ヒンジアセンブリは、
第１の面、第１の端部および第２の端部を含むヒンジアセンブリ本体と、
モバイルデバイスの第１の部分を前記モバイルデバイスの第２の部分にヒンジで連結するための、前記ヒンジアセンブリ本体と連結される少なくとも１つのヒンジセットと、
第１のスピーカに接続するための、前記ヒンジアセンブリ本体における少なくとも１つのスピーカブラケットと、を含む、モバイル電子デバイス。
【請求項７】
オーディオ信号を設置されるスピーカに供給するための、前記少なくとも１つのスピーカブラケットに電気的に接続されるケーブルをさらに備える、請求項６に記載のモバイル電子デバイス。
【請求項８】
前記少なくとも１つのヒンジセットの軸は中空であり、前記ケーブルは、前記中空の軸を通る、請求項７に記載のモバイル電子デバイス。
【請求項９】
前記少なくとも１つのヒンジセットの各ヒンジの軸は、前記ヒンジアセンブリ本体によって、少なくとも部分的に囲まれる、請求項６から８のいずれか一項に記載のモバイル電子デバイス。
【請求項１０】
前記第１の部分および前記第２の部分は、正面および背面を有し、前記ヒンジアセンブリ本体は、前記第１の部分および前記第２の部分の前記正面と同一方向である第１の面を含み、前記少なくとも１つのスピーカブラケットは、設置されるスピーカが、前記ヒンジアセンブリの前記第１の面を向くように、配置される、請求項６から９のいずれか一項に記載のモバイル電子デバイス。
【請求項１１】
前記ヒンジアセンブリ本体における少なくとも１つのスピーカブラケットは、前記モバイル電子デバイスが、ラップトップコンピュータ位置で稼働する場合に、前記モバイル電子デバイスのユーザと対面する、請求項６から１０のいずれか一項に記載のモバイル電子デバイス。
【請求項１２】
前記ヒンジアセンブリは、前記モバイル電子デバイスのためのヒンジ同期バーを含む、請求項６から１１のいずれか一項に記載のモバイル電子デバイス。
【請求項１３】
ディスプレイスクリーンを含むディスプレイアセンブリと、
プロセッサを含む基部アセンブリと、
前記ディスプレイアセンブリと前記基部アセンブリとをヒンジで連結するための統合サウンドバーヒンジアセンブリと、を備え、
前記統合サウンドバーヒンジアセンブリは、
第１の面、第１の端部、および第２の端部を含むヒンジアセンブリ本体と、
前記ヒンジアセンブリ本体の前記第１の端部と連結される第１のヒンジセットおよび前記ヒンジアセンブリ本体の前記第２の端部と連結される第２のヒンジセットであって、前記第１のヒンジセットおよび前記第２のヒンジセットは、前記ディスプレイアセンブリと前記基部アセンブリとをヒンジで連結する、第１のヒンジセットおよび第２のヒンジセットと、
前記ヒンジアセンブリ本体に設置される１または複数のスピーカと、を含む、コンピューティングシステム。
【請求項１４】
前記１または複数のスピーカと前記基部アセンブリとに電気的に接続される１または複数のケーブルをさらに備え、
前記基部アセンブリは、前記１または複数のケーブルを介して、前記１または複数のスピーカに、オーディオ信号を供給する、請求項１３に記載のコンピューティングシステム。
【請求項１５】
少なくとも１つのヒンジセットの軸は中空であり、少なくとも１つのケーブルは、前記中空の軸を通る、請求項１３または１４に記載のコンピューティングシステム。
【請求項１６】
前記第１のヒンジセットの各ヒンジの軸は、前記ヒンジアセンブリ本体の前記第１の端部において少なくとも部分的に囲まれ、前記第２のヒンジセットの各ヒンジの軸は、前記ヒンジアセンブリ本体の前記第２の端部において少なくとも部分的に囲まれる、請求項１３から１５のいずれか一項に記載のコンピューティングシステム。
【請求項１７】
前記ディスプレイアセンブリおよび前記基部アセンブリは、それぞれ正面および背面を有しており、前記ヒンジアセンブリ本体は、正面を含み、前記１または複数のスピーカは、前記ヒンジアセンブリ本体の前記正面に配置される、請求項１３から１６のいずれか一項に記載のコンピューティングシステム。
【請求項１８】
前記コンピューティングシステムが、稼働時にラップトップコンピュータ位置にあるとき、前記１または複数のスピーカは、前記コンピューティングシステムのユーザと対面する、請求項１７に記載のコンピューティングシステム。
【請求項１９】
前記コンピューティングシステムはコンバーチブルシステムであり、前記コンピューティングシステムが、タブレットコンピュータ位置にあるとき、前記１または複数のスピーカは、側面方向に方向付けられる、請求項１８に記載のコンピューティングシステム。
【請求項２０】
前記タブレットコンピュータ位置にあるとき、オーディオは、前記ディスプレイアセンブリの前記正面に平行な方向に生成される、請求項１９に記載のコンピューティングシステム。
【請求項２１】
前記統合サウンドバーヒンジアセンブリは、前記コンピューティングシステムのためのヒンジ同期バーを含む、請求項１３から２０のいずれか一項に記載のコンピューティングシステム。
【請求項２２】
前記ディスプレイアセンブリおよび前記基部アセンブリは、スピーカまたはスピーカブラケットを含まない、請求項１３から２１のいずれか一項に記載のコンピューティングシステム。
【発明の詳細な説明】
【技術分野】
【０００１】
概して、本明細書に記載の実施形態は、電子デバイスの分野に関し、より具体的には、モバイル電子デバイス用統合サウンドバーヒンジアセンブリに関する。
【背景技術】
【０００２】
一般的に、ラップトップ、ノートブックおよびコンバーチブルコンピュータを含むモバイル電子デバイスは、ユーザに対し、サウンドを生成するためのスピーカを含んでいる。しかしながら、一般的に、当該スピーカによって生成されるオーディオは、品質が劣る。
【０００３】
モバイル電子デバイスは、コンポーネントのための空間が限られており、デバイスがより薄型になり、顧客がより改善されたバッテリ寿命を求めるに従い、当該限られた空間は、ますますバッテリのために必要とされている。バッテリ寿命は、部分的にはより大型のバッテリパックで供給できる。故に、かかるデバイスにおけるスピーカは、非常に小型となり、十分な音量を生成できない可能性がある。
【０００４】
さらに、通常、モバイル電子デバイスにおけるスピーカの配置は良くなく、その配置はサウンドプロジェクションに不十分であり、デバイスの使用時に閉塞されることが考えられ、その結果、かかるデバイスのユーザに聞こえるサウンドの品質をさらに低減させる。
【図面の簡単な説明】
【０００５】
本明細書に記載の実施形態は、添付図面中、限定ではなく、例示として示されており、添付図面中、同様の参照符号は、同様の構成要素を指す。
【図１Ａ】一実施形態による、サウンドバーヒンジアセンブリを含むモバイルデバイスの図である。
【図１Ｂ】一実施形態による、サウンドバーヒンジアセンブリを含むモバイルデバイスの側面図である。
【図２】一実施形態による、モバイルデバイスに実装するためのサウンドバーの図である。
【図３】一実施形態による、オーディオトランスデューサを含むヒンジ同期バーの図である。
【図４Ａ】一実施形態による、サウンドバーヒンジアセンブリのコンポーネントの図である。
【図４Ｂ】一実施形態による、サウンドバーヒンジアセンブリの実装の図である。
【図５Ａ】実施形態による、サウンドバーヒンジアセンブリを含むコンバーチブルコンピュータの一端部の図である。
【図５Ｂ】実施形態による、サウンドバーヒンジアセンブリを含むコンバーチブルコンピュータの正面図である。
【図６】一実施形態による、サウンドバーヒンジアセンブリを含むシステムに係る一実施形態の図である。
【発明を実施するための形態】
【０００６】
概して、本明細書に記載の実施形態は、モバイル電子デバイス用統合サウンドバーヒンジアセンブリを対象とする。
【０００７】
この詳細な説明の目的として、「モバイル電子デバイス」または「モバイルデバイス」とは、ノートブックコンピュータ若しくはラップトップコンピュータ、コンバーチブルコンピュータ、ハンドヘルドコンピュータ、モバイルインターネットデバイス、または、処理能力およびイメージ表示能力を有する他のモバイル電子デバイスを意味する。「コンバーチブルデバイス」とは、使用のために複数の位置または向きへ変更可能なモバイルデバイスを意味し、かかるコンバーチブルコンピュータは、ラップトップコンピュータまたはノートブックコンピュータの位置と、タブレットコンピュータの位置との両方への変換を可能にする。「スピーカ」とは、オーディオ信号を空気振動に変換し、可聴音を生成するデバイスを意味する。また、スピーカは、オーディオトランスデューサまたはこれと同様の用語で称されることがある。
【０００８】
いくつかの実施形態において、装置またはシステムは、サウンドバーヒンジアセンブリに組み込まれた１または複数のスピーカまたはスピーカブラケットを含み、当該サウンドバーは、モバイルデバイスのヒンジアセンブリに組み込まれる、または、ヒンジアセンブリと連結される。いくつかの実施形態において、スピーカは、モバイルデバイスの第１の部分および第２の部分を、ヒンジでまたは可動状態で連結するヒンジアセンブリに設置され、よって、スピーカは、モバイルデバイスの第１の部分および第２の部分から除去されている。いくつかの実施形態において、統合サウンドバーヒンジアセンブリは、ヒンジアセンブリ本体またはカバーを含む。１または複数のヒンジセットは、本体またはカバーに連結される。１または複数のスピーカまたはスピーカブラケットは、本体またはカバー内にある。
【０００９】
モバイルデバイスが、かかるデバイスの動作を拡張するよう設計されるにつれ、かかるデバイスは、バッテリまたは他の蓄電のために、ますます多くの空間を使用する。しかしながら、かかる構成の結果、スピーカおよびそれに類似するコンポーネントの空間がより少なくなっている。その結果、より小型のスピーカが使用されている。さらに、スピーカの配置はますます困難となっており、このことが、モバイルデバイスから、許容可能なオーディオを生成するにあたり、困難性を増大させている。いくつかの実施形態において、モバイルデバイスのためのサウンドバーヒンジアセンブリは、特定のバーに応じ、従来の構成で可能となるものよりも、より大型のスピーカの組み込みを可能にしてよい。故に、かかる配置によって、より大型のスピーカを用いて、音量および改善された音質をもたらしてよく、さらに、より優れた背面の音量をもたらしてよく、これによって、既存のスピーカが用いられる場合であっても、音質を改善できる。さらに、モバイルデバイスの一部からスピーカを除去することで、他のコンポーネントのための追加の容積を許容する。
【００１０】
さらに、ヒンジアセンブリに組み込まれた、または、ヒンジアセンブリと連結されたサウンドバーを設置することで、ラップトップコンピュータまたはノートブックコンピュータ等のクラムシェルデバイスのヒンジにおいて、スピーカをユーザに向かう方向に方向付けることを可能にする。かかる実装は、スピーカをユーザに対し方向付けるので、モバイルデバイスにおけるスピーカの従来型の設置と比較して、ユーザに対するスピーカの改善された位置決めをもたらす。また、スピーカバーヒンジアセンブリは、コンバーチブルモードにおいて、改善された音質を可能にしてよく、コンバーチブルモードでは、スピーカは、ユーザに対し、異なる角度で方向付けられてよい。
【００１１】
他の問題に加え、ラップトップコンピュータまたはノートブックコンピュータ等の従来のモバイルデバイスの基部アセンブリにおけるスピーカの配置では、ユーザが、モバイルデバイスを操作するとき、ユーザの手によって、スピーカが閉塞されることをもたらし得る。概して、モバイルデバイスの操作時における、ユーザの手によるスピーカの閉塞は、ほとんどまたは全く起こらないので、いくつかの実施形態において、モバイルデバイスのサウンドバーヒンジアセンブリにおけるスピーカの配置を用いて、音波分散を改善してよい。さらに、特定のモバイルデバイス実装のために、スピーカを基部アセンブリからスピーカバーヒンジアセンブリへ移すことで、モバイルデバイスの基部アセンブリまたはディスプレイパネルアセンブリにおけるスピーカーグリルの設置の必要性をなくす。
【００１２】
いくつかの実施形態において、サウンドバーヒンジアセンブリは、サウンドバーまたはサウンドバー内のスピーカの設置または交換を可能にし、これによって、システムのアップグレード目的のために、システムの基部を取り換えることなく、スピーカの設置を可能にする。かかる実装によって、再販市場でのコンピュータ用スピーカの購入を可能にしてよく、製造業者が、コンピュータシステムの販売と共に、システムスピーカをアップグレードするオプションを提供することを可能にしてよい。
【００１３】
いくつかの実施形態において、サウンドバーヒンジアセンブリは、１または複数の中空の軸を含み、これによって、かかる中空の軸を通して、スピーカ用のケーブルを通すことを可能にする。ケーブルは、基部アセンブリと、サウンドバーのスピーカとの間に設置されるといった具合である。いくつかの実施形態において、１または複数のケーブルは、オーディオ信号をスピーカまたはスピーカブラケットに搬送すべく、スピーカまたはスピーカブラケットに接続される。
【００１４】
いくつかの実施形態において、サウンドバーヒンジアセンブリは、ヒンジ同期バーを含む。いくつかの実施形態において、サウンドバーは、ヒンジ同期バーに組み込まれ、当該バーをサウンド生成に用いる。
【００１５】
図１Ａは、一実施形態による、サウンドバーヒンジアセンブリを含むモバイルデバイスの図である。いくつかの実施形態において、モバイルデバイス１００（これは、限定ではないが、ラップトップコンピュータまたはノートブックコンピュータ等のコンピューティングデバイスであってよい）は、第１の部分１１０および第２の部分１２０を含む。第１の部分１１０は、限定ではないが、ディスプレイパネルアセンブリを含んでよく、第２の部分１２０は、限定ではないが、基部アセンブリを含んでよい。ここにおいて、第１の部分および第２の部分は、サウンドバーヒンジアセンブリ１３０を用いて、ヒンジで共に連結されている。いくつかの実施形態において、サウンドバーが、ヒンジアセンブリ１３０に組み込まれている。いくつかの実施形態において、サウンドバーが、ヒンジアセンブリと連結されている。 
【００１６】
いくつかの実施形態において、第１の部分および第２の部分はそれぞれ、第１の面および第２の面を有しており、第１の面は正面（または上面）と呼ばれてよく、第２の面は背面（底面）と呼ばれてよい。図示の通り、モバイルデバイスは、「ラップトップ位置」と呼ばれてよい位置にあり、ラップトップ位置においては、概して第１の部分１１０の正面は、デバイスのユーザと対面し、概して第２の部分１２０の正面は、上方向を向く。モバイルデバイスの他の位置としては、「閉位置」、「完全開位置」および「タブレット位置」が含まれてよい。「閉位置」においては、第１の部分の正面が、第２の部分の正面と対面する状態（すなわち、第１の部分１１０は、第１の方向を向き、第２の部分１２０は、反対の第２の方向を向く）で、第１の部分および第２の部分が互いに平行となるように、第１の部分１１０および第２の部分１２０は、構成されている。「完全開位置」においては、第１の部分の正面および第２の部分の正面が、概して、同一方向を向く（第１の部分および第２の部分の両方が、ディスプレイスクリーンを含み、これら両方が、同時にユーザと対面できる状況等）ように、第１の部分１１０および第２の部分１２０は、構成されている。「タブレット位置」においては、第１の部分の背面が、第２の部分の背面と対面する状態で、または（第２の部分が、別の軸を中心に回転できる場合）第１の部分の背面が第２の部分の正面と対面する状態で、第１の部分および第２の部分が互いに平行となり、これによって、第１の部分の少なくとも正面が、ユーザによって、視認できるように、第１の部分１１０および第２の部分１２０は、構成されている。
【００１７】
いくつかの実施形態において、サウンドバーヒンジアセンブリ１３０は、モバイルデバイスのサウンドを生成するための１または複数のワイヤまたはケーブル（概して、本明細書においてケーブルと称される）によって、モバイルデバイス１００の第１の部分１１０または第２の部分１２０に電気的に接続される１または複数のスピーカ（または、スピーカを設置するための１または複数のブラケット）を含む。いくつかの実施形態において、モバイルデバイスの第１の部分１１０および第２の部分１２０は、スピーカを含んでおらず、よって、他のコンポーネントを設置するための追加の内部容積をもたらす。 
【００１８】
図１Ｂは、一実施形態による、サウンドバーヒンジアセンブリを含むモバイルデバイスの側面図である。図１Ｂ中の図では、モバイルデバイスの第１の部分１１０および第２の部分１２０を共に連結するサウンドバーヒンジアセンブリ１３０は、サウンドバーヒンジアセンブリに設置されるべき１または複数のスピーカが、ユーザ１５０がモバイルデバイス１００を操作するとき、ユーザ１５０の方を向くように、方向付けられており、これによって、当該１または複数のスピーカによって生成されるサウンドは、ユーザ１５０の方に方向付けられる。
【００１９】
図２は、一実施形態による、モバイルデバイスに実装するためのサウンドバーアセンブリの図である。いくつかの実施形態において、サウンドバーアセンブリ２００は、例えば、図１Ａおよび１Ｂに示すモバイルデバイス１００のようなモバイル電子デバイスのヒンジアセンブリに組み込まれており、または、当該ヒンジアセンブリと連結されてよい。
【００２０】
いくつかの実施形態において、サウンドバーアセンブリは、本体またはカバー２１０、および、第１のスピーカ２２０および第２のスピーカ２３０等の１または複数のスピーカを含む。いくつかの実施形態において、第１のスピーカ２２０および第２のスピーカ２３０は、モバイルデバイスに対し、オーディオを生成するための１または複数のケーブルを介して、モバイルデバイスの少なくとも一部に電気的に接続されることになる。
【００２１】
図３は、一実施形態による、オーディオトランスデューサを含むヒンジ同期バーの図である。いくつかの実施形態において、ヒンジ同期バーは、１または複数のオーディオトランスデューサ、または、オーディオトランスデューサ３１０のためのブラケットを含む。いくつかの実施形態において、ヒンジ同期バーは、第１のヒンジセット３２０および第２のヒンジセット３４０等の少なくとも１つのヒンジセットを含む。さらに、各ヒンジセットは、少なくとも第１のヒンジおよび第２のヒンジを含み、各ヒンジは、取り付けブラケットおよび軸を含む。さらに、ヒンジ同期バー３００は、本体３５０を含み、ヒンジセットは本体３５０に対し連結される。図示の通り、第１のヒンジセット３２０のヒンジ同士は完全開位置にあり、第２のヒンジセット３４０のヒンジ同士は閉位置または（フル回転させた場合）タブレット位置（またはタブレットコンピュータ位置）にある。説明のために、異なるヒンジ位置が提供されており、モバイルデバイスに設置された場合、第１のヒンジセット３２０のヒンジ同士および第２のヒンジセット３４０のヒンジ同士は、概して同一位置となることに留意されたい。
【００２２】
いくつかの実施形態において、ヒンジセットの各ヒンジの軸は、本体３５０によって、少なくとも部分的に囲まれている。いくつかの実施形態において、ヒンジ同期バーは、第１のヒンジセット３２０および第２のヒンジセット３４０と用いて、モバイルデバイスの第１の部分と、第２の部分（図１Ａおよび１Ｂ中に示される第１の部分１１０および第２の部分１２０等）とに連結され、第１の部分および第２の部分を共にヒンジで連結する。例えば、第１のヒンジセットの第１の取り付けブラケットおよび第２のヒンジセットの第１の取り付けブラケットが、モバイルデバイスの第１の部分と連結されることになり、第１のヒンジセットの第２の取り付けブラケットおよび第２のヒンジセットの第２の取り付けブラケットが、モバイルデバイスの第２の部分と連結されることになる。
【００２３】
いくつかの実施形態において、ヒンジ同期バーは、特定量の回転を可能にする。いくつかの実施形態において、ヒンジ同期バーは、例えば、３６０°（３６０度）回転を可能にしてよい。かかる構造は、例えば、コンバーチブルシステムのパネル部が、閉位置からタブレット位置まで、ぐるっと３６０°回転できるようにする。いくつかの実施形態において、ボールディテント、または同様の要素が、第１のヒンジを関連付けられた軸に対し動かないように保持しつつ、もう一方のヒンジに取り付けられたディスプレイパネル等のデバイスの一部が、１８０°フル回転してよい。いくつかの実施形態において、かかる実装では、ディスプレイパネルをさらに動かすことでディテント力を克服し、追加の１８０°回転が実現されてよい。このように、ディスプレイ部分が回転して開かれる場合、ヒンジ同期バーは、デバイスの基部部分に対し、特定の方向で保持されてよい。
【００２４】
いくつかの実施形態において、各ヒンジセットは、モバイルデバイスの第１の部分および第２の部分への取り付けのためのヒンジブラケットを含む。各ヒンジブラケットは、正面および背面を含み、モバイルデバイスの一部に接続されるとき、ヒンジブラケットの正面が、ヒンジブラケットが取り付けられる当該一部の正面と同一方向を向く。さらに、ヒンジ同期バーは、正面および背面を含み、オーディオトランスデューサまたはブラケットが、同期バーの正面に設置され、ヒンジ同期バーの正面は、サウンドが、図１Ｂに示す位置におけるユーザに向かって方向付けられるように、方向付けられる。
【００２５】
故に、一例において、モバイルデバイスが、完全開位置にある場合、第１の部分の正面、第２の部分の正面、および任意のオーディオトランスデューサまたはブラケットを含むヒンジ同期バーの正面は、概して、それぞれ同一方向を向く。
【００２６】
図４Ａは、一実施形態による、サウンドバーヒンジアセンブリのコンポーネントの図である。いくつかの実施形態において、サウンドバーヒンジアセンブリ４００（例えば、図１Ａおよび１Ｂに示すサウンドバーヒンジアセンブリ１３０等）は、第１のオーディオトランスデューサ４２０および第２のオーディオトランスデューサ４３０等の少なくとも１または複数のオーディオトランスデューサ、および、第１のヒンジセット４４０および第２のヒンジセット４５０等の１または複数のヒンジセットを含む。いくつかの実施形態において、図示したコンポーネントは、統合ヒンジアセンブリの本体またはカバーと連結される。
【００２７】
図４Ｂは、一実施形態による、サウンドバーヒンジアセンブリの実装の図である。図示の通り、第１の実装４６０は、第１の態様のオーディオトランスデューサを含み、第２の実装４７０は、第２の態様のオーディオトランスデューサを含み、および、第３の実装４８０は、第３の態様のオーディオトランスデューサを含む。一般に、ステレオオーディオ出力を供給するために、２つのオーディオトランスデューサが用いられてよい。しかしながら、実施形態は、図示の実装に限定はされず、サウンドバーの物理空間に設置されてよい任意のスピーカサイズおよび形状のうちの１または複数を含んでよい。
【００２８】
図５Ａは、実施形態による、サウンドバーヒンジアセンブリを含むコンバーチブルデバイスの一端部の図である。いくつかの実施形態において、複数の位置に変更されてよいコンバーチブルデバイス５００は、コンバーチブルデバイス５００のディスプレイパネル５１０等の第１の部分および基部等の第２の部分５２０をヒンジで共に連結するためのサウンドバーヒンジアセンブリ５３０を含む。
【００２９】
いくつかの実施形態において、コンバーチブルデバイス５００が図５Ａに示すようなタブレット位置（例えば、当該図において、ディスプレイパネル５１０が、上方を向くように方向付けられている）にあるとき、サウンドバーヒンジアセンブリ５３０は、側面方向に方向付けられるオーディオを生成するように方向付けられてよい。言い換えると、タブレット位置においては、サウンドバーヒンジアセンブリ５３０およびかかるアセンブリ内に配置されたスピーカによって生成されるオーディオは、ディスプレイパネル５１０の正面に対し、平行な方向に方向付けられる。概して、かかる方向は、オーディオをデバイス５００のユーザに向けて、方向付ける位置にはない一方、デバイス５００内に設置されたオーディオトランスデューサが、タブレット位置においても、デバイスのユーザに対し、依然として良好な音質をもたらすことができる。
【００３０】
図５Ｂは、実施形態による、サウンドバーヒンジアセンブリを含むコンバーチブルコンピュータの正面図である。いくつかの実施形態において、複数の位置に変更されてよいコンバーチブルデバイス５００は、コンバーチブルデバイス５００のディスプレイパネル５１０等の第１の部分および基部等の第２の部分５２０をヒンジで共に連結するためのサウンドバーヒンジアセンブリ５３０を含む。
【００３１】
いくつかの実施形態において、コンバーチブルデバイス５００が図５Ｂに示すようなタブレット位置にあるとき、サウンドバーヒンジアセンブリ５３０は、ディスプレイパネルの正面に対し平行である、側面方向に方向付けられるオーディオを生成するように方向付けられてよい。
【００３２】
図６は、一実施形態による、サウンドバーヒンジアセンブリを含むモバイル電子デバイスに係る一実施形態の図である。この図において、本説明に密接な関係がない特定の標準的なコンポーネントおよび周知なコンポーネントは、図示していない。別個の要素として図示される要素は、組み合わされてよく、そのようなものとしては、例えば、単一チップ上に複数の要素を組み合わせたＳｏＣ（システムオンチップ）が含まれる。
【００３３】
いくつかの実施形態において、モバイル電子デバイス６００は、基部アセンブリ６０５等の第１の部分、および出力ディスプレイ６７５を含むディスプレイパネルアセンブリ６７０等の第２の部分を含み、これらは、統合サウンドバーヒンジアセンブリ６８０を用いて共に連結されている。いくつかの実施形態において、モバイル電子デバイス６００は、図１Ａおよび１Ｂに示されるようなものであってよい。図６は、モバイル電子デバイス６００に含まれてよいコンポーネントの図を提供することを意図しており、図示されたコンポーネントの縮尺または構造の詳細を示す意図ではない。
【００３４】
いくつかの実施形態において、サウンドバーヒンジアセンブリ６８０は、第１のスピーカブラケット６８２および第２のスピーカブラケット６８４を含み、第１のスピーカブラケット６８２には、第１のスピーカ６８３が設置されてよく、第２のスピーカブラケット６８４には、第２のスピーカ６８５が設置されてよい。いくつかの実施形態において、第１のスピーカ６８３および第２のスピーカ６８５は、モバイル電子デバイス６００の出力デバイスとして動作する。いくつかの実施形態において、さらに、サウンドバーヒンジアセンブリは、第１のヒンジセット６８６および第２のヒンジセット６８７等の１または複数のヒンジセットを含み、ここにおいて、当該１または複数のヒンジセットは、基部アセンブリ６０５をディスプレイパネルアセンブリ６７０に、ヒンジで連結する。いくつかの実施形態において、サウンドバーヒンジアセンブリ６８０は、基部アセンブリ６０５等、デバイス６００のこれらの複数の部分のうちの少なくとも１つに、１または複数のケーブルによって、電気的に接続され、基部アセンブリ６０５は、サウンドバースピーカアセンブリ６８０の１または複数のスピーカ（６８３、６８５）を駆動するためのオーディオ信号を供給する。
【００３５】
いくつかの実施形態において、基部アセンブリ６０５は、概してバス６６５として図示した、１または複数のバスまたは相互接続に連結された１または複数のプロセッサ６１０等の処理手段を含んでよい。プロセッサ６１０は、１または複数の物理プロセッサおよび１または複数の論理プロセッサを備えてよい。いくつかの実施形態において、プロセッサは、１または複数の汎用プロセッサまたは特殊プロセッサを含んでよい。
【００３６】
バス６６５は、データの送信のための通信手段である。単純化するため、バス６６５は、単一のバスとして図示されているが、複数の異なる相互接続またはバスを表わしてよく、かかる相互接続またはバスへのコンポーネント接続は、変わってよい。図６中に示すバス６６５は、任意の１または複数の別個の物理的なバス、ポイントツーポイント接続、または適切なブリッジ、アダプタ若しくはコントローラによって接続されたこれら両方を表わす抽象的なものである。
【００３７】
いくつかの実施形態において、基部アセンブリ６０５は、さらに、ランダムアクセスメモリ（ＲＡＭ）または、プロセッサ６１０によって実行されるべき情報および命令を格納するためのメインメモリ６１５のような他のダイナミックストレージデバイス若しくは素子を含む。メインメモリ６１５は、限定ではないが、ダイナミックランダムアクセスメモリ（ＤＲＡＭ）を含んでよい。
【００３８】
基部アセンブリ６０５は、また、不揮発性メモリ６２０、ソリッドステートドライブ（ＳＳＤ）６３０等のストレージデバイス、およびリードオンリメモリ（ＲＯＭ）６３５またはプロセッサ６１０のための静的情報および命令を格納するための他のスタティックストレージデバイスを含んでよい。
【００３９】
いくつかの実施形態において、基部アセンブリ６０５は、バス６６５に連結された１または複数の送信機または受信機６４０を含む。いくつかの実施形態において、基部アセンブリ６０５は、無線送信機、受信機またはこれら両方を用いた、無線通信を介する、データの送信および受信を行うためのダイポールアンテナまたはモノポールアンテナ等、１または複数のアンテナ６４４を含んでよく、且つ、有線通信を介した、データの送信および受信のための１または複数のポート６４２を含んでよい。無線通信としては、限定ではないが、Ｗｉ‐Ｆｉ、Ｂｌｕｅｔｏｏｔｈ（登録商標）、近距離無線通信、および他の無線通信規格が含まれる。
【００４０】
いくつかの実施形態において、基部アセンブリ６０５は、ハードボタンおよびソフトボタン、ジョイスティック、マウスまたは他のポインティングデバイス、キーボード、音声コマンドシステム、またはジェスチャ認識システムを含む、データの入力のための１または複数の入力デバイス６５０を含む。
【００４１】
いくつかの実施形態において、ディスプレイパネルアセンブリ６７０は、出力ディスプレイ６７５を含み、出力ディスプレイ６７５には、液晶ディスプレイ（ＬＣＤ）、またはユーザに情報またはコンテンツを表示させるための任意の他のディスプレイ技術が含まれてよい。いくつかの環境において、出力ディスプレイ６７５は、少なくとも入力デバイス６５０の一部としても用いられるタッチ式スクリーンを含んでよい。
【００４２】
また、システム６００は、バッテリまたは他の電源６６０を含んでもよく、当該バッテリまたは他の電源６６０としては、太陽電池、燃料電池、充電コンデンサ、近接場誘導結合、または、ハンドヘルドデバイス６０５で、電力を供給または生成するための他のシステムまたはデバイスが含まれてよい。電源６６０によって供給される電力は、必要に応じて、ハンドヘルドデバイス６０５の要素に対し、分配されてよい。
【００４３】
上記の説明においては、記載された実施形態の完全な理解をもたらすべく、説明目的で、多数の具体的な詳細について記載している。しかしながら、実施形態は、これらの具体的な詳細のうちのいくつかを省いても実施可能であることは、当業者に自明なところである。他の例においては、周知の構造およびデバイスは、ブロック図の形態で示している。図示したコンポーネント間に、中間的な構造が存在してよい。ここで説明または図示されたコンポーネントは、図示または説明されていない追加の入力または出力を有してよい。
【００４４】
様々な実施形態は、様々な処理を含んでよい。これらの処理は、ハードウェアコンポーネントによって実行されてよく、または、コンピュータプログラム若しくは機械実行可能命令で具現化されてよく、当該プログラムまたは命令は、当該命令でプログラムされる汎用若しくは専用プロセッサまたはロジック回路に、当該処理を実行させるために用いられてよい。代替的に、当該処理は、ハードウェアおよびソフトウェアの組み合わせによって、実行されてよい。
【００４５】
様々な実施形態の一部は、コンピュータプログラム製品として提供されてよく、当該コンピュータプログラム製品は、格納されたコンピュータプログラム命令を有するコンピュータ可読媒体を含んでよく、当該命令を用いて、コンピュータ（または他の電子デバイス）を１または複数のプロセッサによる実行のためにプログラムして、特定の実施形態による処理を実行させてよい。コンピュータ可読媒体としては、限定ではないが、磁気ディスク、光ディスク、コンパクトディスクリードオンリメモリ（ＣＤ‐ＲＯＭ）および光磁気ディスク、リードオンリメモリ（ＲＯＭ）、ランダムアクセスメモリ（ＲＡＭ）、消去可能プログラマブルリードオンリメモリ（ＥＰＲＯＭ）、電気的消去可能プログラマブルリードオンリメモリ（ＥＥＰＲＯＭ）、磁気カードまたは光カード、フラッシュメモリ、または電子的命令を格納するために好適な他のタイプのコンピュータ可読媒体が含まれてよい。さらに、また、実施形態は、コンピュータプログラム製品としてダウンロードされてよく、プログラムは、リモートコンピュータから要求元コンピュータに転送されてよい。
【００４６】
当該方法の多くは、最も基本的な形態で記載されているが、本実施形態の基本範囲から逸脱することなく、当該方法のうちの任意のものに処理を追加してよく、またはそこから処理を削除してよく、且つ、当該記載されたメッセージのうちの任意のものに情報を追加してよく、またはそこから情報を削除してよい。多くのさらなる修正例および適合例を成し得ることは、当業者に自明なところである。特定の実施形態は、発明概念を限定するためではなく、例示するために記載されている。当該実施形態の範囲は、上記の具体的な例によっては決定されず、以降の特許請求の範囲によってのみ、決定される。
【００４７】
構成要素「Ａ」が構成要素「Ｂ」に連結されている、または、構成要素「Ａ」が構成要素「Ｂ」と連結されていると言及する場合は、構成要素Ａは、構成要素Ｂに直接連結されてよく、または、例えば、構成要素Ｃを通して、間接的に連結されてもよい。明細書または特許請求の範囲が、コンポーネント、特徴、構造、処理または特性Ａが、コンポーネント、特徴、構造、処理または特性Ｂを「ｃａｕｓｅｓ（発生させる）」と規定するときは、「Ａ」は、「Ｂ」の少なくとも部分的原因であるが、「Ｂ」の発生に寄与する、少なくとも１つの他のコンポーネント、特徴、構造、処理または特性が存在してもよいことを意味する。明細書が、コンポーネント、特徴、構造、処理または特性が含まれて、「ｍａｙ（よい）」、「ｍｉｇｈｔ（よい）」、または「ｃｏｕｌｄ（得る）」ことを示す場合、その特定のコンポーネント、特徴、構造、処理または特性が含まれるべきことは要求されていない。明細書または特許請求の範囲が、「ａ（１つ）」または「ａｎ（１つ）」の要素に言及する場合、これは、記載された要素のうちの１つのみが存在することを意味していない。
【００４８】
実施形態は、実装例または実施例である。本明細書中の「ａｎ  ｅｍｂｏｄｉｍｅｎｔ（一実施形態）」、「ｏｎｅ  ｅｍｂｏｄｉｍｅｎｔ（１つの実施形態）」、「ｓｏｍｅ  ｅｍｂｏｄｉｍｅｎｔｓ（いくつかの実施形態）」または「ｏｔｈｅｒ  ｅｍｂｏｄｉｍｅｎｔｓ（他の実施形態）」という言及は、当該実施形態に関し記載された特定の特徴、構造または特性が、少なくともいくつかの実施形態に含まれるが、必ずしもすべての実施形態に含まれるわけではないことを意味する。「ａｎ  ｅｍｂｏｄｉｍｅｎｔ（一実施形態）」、「ｏｎｅ  ｅｍｂｏｄｉｍｅｎｔ（１つの実施形態）」または「ｓｏｍｅ  ｅｍｂｏｄｉｍｅｎｔｓ（いくつかの実施形態）」が現れる様々なところは、必ずしもすべてが同一の実施形態について言及しているわけではない。例示的実施形態の上記説明においては、場合によって、開示を簡素化する目的のため、および、様々な新規な態様のうちの１または複数についての理解に寄与するため、単一の実施形態、図面、またはその説明において、様々な特徴が共にグループ化されることがあることを理解されたい。しかしながら、この開示方法は、特許請求された実施形態が、各請求項中に明示に記載した特徴部よりも多いものを必要とするという意図を反映するものであると解釈されるべきではない。むしろ、以降の特許請求の範囲が反映するように、新規な態様は、上記に開示した単一の実施形態におけるすべての特徴部よりも少ない特徴部で成立する。故に、ここで、特許請求の範囲は、この詳細な説明に明示に組み込まれるものとし、各請求項は、別個の実施形態として、独立に成立する。
【００４９】
いくつかの実施形態において、統合サウンドバーヒンジアセンブリは、ヒンジアセンブリ本体と、モバイルデバイスの第１の部分を、上記モバイルデバイスの第２の部分にヒンジで連結する、上記ヒンジアセンブリ本体と連結される少なくとも１つのヒンジセットと、第１のスピーカを設置するための、上記ヒンジアセンブリ本体に含まれる少なくとも１つのスピーカブラケットと、を備える。
【００５０】
いくつかの実施形態において、上記統合サウンドバーヒンジアセンブリは、オーディオ信号を設置されるスピーカに供給するための、上記少なくとも１つのスピーカブラケットに電気的に接続されるケーブルを、さらに備える。
【００５１】
いくつかの実施形態において、上記少なくとも１つのヒンジアセンブリの軸は中空であり、上記ケーブルは、上記中空の軸を通る。
【００５２】
いくつかの実施形態において、上記ヒンジアセンブリ本体は前面を含み、上記少なくとも１つのスピーカブラケットは、設置されるスピーカが、上記ヒンジアセンブリの上記正面の方向に方向付けられるように配置される。
【００５３】
いくつかの実施形態において、上記少なくとも１つのヒンジセットの各ヒンジの軸は、上記ヒンジアセンブリ本体によって、少なくとも部分的に囲まれる。
【００５４】
いくつかの実施形態において、モバイル電子デバイスは、第１の部分と、第２の部分と、上記第１の部分および上記第２の部分をヒンジで連結するヒンジアセンブリと、を備え、上記ヒンジアセンブリは、第１の面、第１の端部および第２の端部を含むヒンジアセンブリ本体と、モバイルデバイスの第１の部分をモバイルデバイスの第２の部分にヒンジで連結するための、ヒンジアセンブリ本体と連結される少なくとも１つのヒンジセットと、第１のスピーカに接続するための、上記ヒンジアセンブリ本体における少なくとも１つのスピーカブラケットと、を含む。
【００５５】
いくつかの実施形態において、上記デバイスは、オーディオ信号を設置されるスピーカに供給するための、上記少なくとも１つのスピーカブラケットに電気的に接続されるケーブルを、さらに備える。いくつかの実施形態において、上記少なくとも１つのヒンジアセンブリの軸は中空であり、上記ケーブルは、上記中空の軸を通る。
【００５６】
いくつかの実施形態において、上記少なくとも１つのヒンジセットの各ヒンジの軸は、上記ヒンジアセンブリ本体によって、少なくとも部分的に囲まれる。
【００５７】
いくつかの実施形態において、上記第１の部分および上記第２の部分は、正面および背面を有し、上記ヒンジアセンブリ本体は、上記第１の部分および上記第２の部分の上記正面と同一方向である第１の面を含み、上記少なくとも１つのスピーカブラケットは、設置されるスピーカが、上記ヒンジアセンブリの上記第１の面を向くように、配置される。
【００５８】
いくつかの実施形態において、上記ヒンジアセンブリ本体における少なくとも１つのスピーカブラケットは、上記デバイスが、ラップトップコンピュータ位置で稼働する場合に、上記システムのユーザと対面する。
【００５９】
いくつかの実施形態において、上記ヒンジアセンブリは、上記モバイル電子デバイスのためのヒンジ同期バーを備える。
【００６０】
いくつかの実施形態において、コンピューティングシステムは、ディスプレイスクリーンを含むディスプレイアセンブリと、プロセッサを含む基部アセンブリと、上記ディスプレイアセンブリと上記基部アセンブリとをヒンジで連結するための統合サウンドバーヒンジアセンブリと、を備え、上記ヒンジアセンブリは、第１の面、第１の端部、および第２の端部を含むヒンジアセンブリ本体と、上記ヒンジアセンブリ本体の上記第１の端部と連結される第１のヒンジセットおよび上記ヒンジアセンブリ本体の上記第２の端部と連結される第２のヒンジセットであって、上記第１のヒンジセットおよび上記第２のヒンジセットは、上記ディスプレイアセンブリと上記基部アセンブリとをヒンジで連結する、第１のヒンジセットおよび第２のヒンジセットと、上記ヒンジアセンブリ本体に設置される１または複数のスピーカと、を含む。
【００６１】
いくつかの実施形態において、上記システムは、上記１または複数のスピーカと上記基部アセンブリとに電気的に接続される１または複数のケーブルをさらに備え、上記基部アセンブリは、上記１または複数のケーブルを介して、上記１または複数のスピーカに、オーディオ信号を供給する。いくつかの実施形態において、上記少なくとも１つのヒンジセットの軸は、中空であり、少なくとも１つのケーブルは、上記中空の軸を通る。
【００６２】
いくつかの実施形態において、上記第１のヒンジセットの各ヒンジの軸は、上記ヒンジアセンブリ本体の上記第１の端部において少なくとも部分的に囲まれ、上記第２のヒンジセットの各ヒンジの軸は、上記ヒンジアセンブリ本体の上記第２の端部において少なくとも部分的に囲まれる。
【００６３】
いくつかの実施形態において、上記ディスプレイアセンブリおよび上記基部アセンブリは、それぞれ正面および背面を有しており、上記ヒンジアセンブリ本体は、正面を含み、上記１または複数のスピーカは、上記ヒンジアセンブリの上記正面に配置される。
【００６４】
いくつかの実施形態において、上記システムが、稼働時にラップトップコンピュータ位置にあるとき、上記１または複数のスピーカは、上記システムのユーザと対面する。
【００６５】
いくつかの実施形態において、上記システムはコンバーチブルシステムであり、上記システムが、タブレットコンピュータ位置にあるとき、上記１または複数のスピーカは、側面方向に方向付けられる。いくつかの実施形態において、上記タブレットコンピュータ位置にあるとき、オーディオは、上記ディスプレイアセンブリの上記正面に平行な方向に生成される。
【００６６】
いくつかの実施形態において、上記ヒンジアセンブリは、上記コンピュータシステムのためのヒンジ同期バーを含む。
【００６７】
いくつかの実施形態において、上記ディスプレイアセンブリおよび上記基部アセンブリは、スピーカまたはスピーカブラケットを含まない。
【００６８】
いくつかの実施形態において、コンバーチブルデバイスは、ディスプレイスクリーンを含むディスプレイアセンブリと、プロセッサを含む基部アセンブリと、上記ディスプレイアセンブリと上記基部アセンブリとをヒンジで連結する統合サウンドバーヒンジアセンブリと、を備え、統合サウンドバーヒンジアセンブリは、上記コンバーチブルデバイスの複数の位置における位置決めを可能にし、上記統合サウンドバーヒンジアセンブリは、第１の面、第１の端部および第２の端部を含むヒンジアセンブリ本体と、上記ヒンジアセンブリ本体の上記第１の端部と連結される第１のヒンジセットおよびヒンジアセンブリ本体の上記第２の端部と連結される第２のヒンジセットであって、上記第１のヒンジセットと上記第２のヒンジセットは、上記ディスプレイアセンブリと上記基部アセンブリとをヒンジで連結する、第１のヒンジセットと第２のヒンジセットと、上記ヒンジアセンブリ本体に設置される１または複数のスピーカと、を含む。
【００６９】
いくつかの実施形態において、上記コンバーチブルデバイスは、上記１または複数のスピーカと上記基部アセンブリとに電気的に接続される１または複数のケーブルをさらに備え、上記基部アセンブリは、上記１または複数のケーブルを介して、上記１または複数のスピーカに、オーディオ信号を供給する。
【００７０】
いくつかの実施形態において、上記少なくとも１つのヒンジセットの軸は、中空であり、少なくとも１つのケーブルは、上記中空の軸を通る。
【００７１】
いくつかの実施形態において、上記第１のヒンジセットの各ヒンジの軸は、上記ヒンジアセンブリ本体の上記第１の端部において少なくとも部分的に囲まれ、上記第２のヒンジセットの各ヒンジの軸は、上記ヒンジアセンブリ本体の上記第２の端部において少なくとも部分的に囲まれる。
【００７２】
いくつかの実施形態において、上記ディスプレイアセンブリおよび上記基部アセンブリは、それぞれ正面および背面を有しており、上記ヒンジアセンブリ本体は、正面を含み、上記１または複数のスピーカは、上記ヒンジアセンブリの上記正面に配置される。
【００７３】
いくつかの実施形態において、上記複数の位置は、ラップトップコンピュータ位置を含み、上記１または複数のスピーカは、上記システムがラップトップコンピュータ位置で稼働するとき、上記システムのユーザと対面する。
【００７４】
いくつかの実施形態において、上記複数の位置は、タブレットコンピュータ位置を含み、上記１または複数のスピーカは、上記コンバーチブルデバイスが上記タブレットコンピュータ位置にあるとき、側面方向に方向付けられる。
【００７５】
いくつかの実施形態において、上記コンバーチブルデバイスが上記タブレットコンピュータ位置にあるとき、オーディオは、上記ディスプレイアセンブリの上記正面に平行な方向に生成される。
【００７６】
いくつかの実施形態において、上記統合サウンドバーヒンジアセンブリは、上記コンバーチブルデバイスのためのヒンジ同期バーを含む。
【００７７】
いくつかの実施形態において、上記ディスプレイアセンブリおよび上記基部アセンブリは、スピーカまたはスピーカブラケットを含まない。
【図１Ａ】
2018537007.tif 000003
【図１Ｂ】
2018537007.tif 000004
【図２】
2018537007.tif 000005
【図３】
2018537007.tif 000006
【図４Ａ】
2018537007.tif 000007
【図４Ｂ】
2018537007.tif 000008
【図５Ａ】
2018537007.tif 000009
【図５Ｂ】
2018537007.tif 000010
【図６】
2018537007.tif 000011
【国際調査報告】
2018537007.tif 000012
2018537007.tif 000013